(57)【要約】【課題】予めユーザが分類操作を行わなくても、互いに適合した音楽および画像を同時に再生すること。【解決手段】音楽ファイルを音楽として再生する際に、ＣＰＵ２０は、再生される音楽ファイルに関連付けられた日時情報を取得して、当該日時情報に対応する日時情報が関連付けられた画像ファイルを、メモリ３２に記憶された画像ファイルの中から検索し、検索された画像ファイルを、音楽ファイルの再生中に表示装置１７によって再生させる。また、画像ファイルを画像として再生する際に、ＣＰＵ２０は、再生される画像ファイルに関連付けられた日時情報に対応する日時情報が関連付けられた音楽ファイルを、メモリ３２に記憶された音楽ファイルの中から検索し、検索された音楽ファイルを、画像ファイルの再生中にスピーカ１８などによって再生させる。例えば、年月日または年代が一致する音楽と画像とが同時に再生される。【選択図】図３
2009117973.tif 000002
【特許請求の範囲】
【請求項１】
日時情報が関連付けられた音楽ファイルを記憶する音楽記憶手段と、
前記音楽記憶手段に記憶された音楽ファイルを音楽として再生する音楽再生手段と、
日時情報が関連付けられた画像ファイルを記憶する画像記憶手段と、
前記画像記憶手段に記憶された画像ファイルを画像として再生する画像再生手段と、
前記音楽再生手段によって音楽ファイルを再生する際に、再生される音楽ファイルに関連付けられた日時情報を取得して、当該日時情報に対応する日時情報が関連付けられた画像ファイルを、前記画像記憶手段に記憶された画像ファイルの中から検索する検索手段と、
前記検索手段によって検索された画像ファイルを、前記音楽ファイルの再生中に前記画像再生手段によって再生させる再生制御手段と、
を備えたことを特徴とする再生装置。
【請求項２】
日時情報が関連付けられた画像ファイルを記憶する画像記憶手段と、
前記画像記憶手段に記憶された画像ファイルを画像として再生する画像再生手段と、
日時情報が関連付けられた音楽ファイルを記憶する音楽記憶手段と、
前記音楽記憶手段に記憶された音楽ファイルを音楽として再生する音楽再生手段と、
前記画像再生手段よって画像ファイルを再生する際に、再生される画像ファイルに関連付けられた日時情報に対応する日時情報が関連付けられた音楽ファイルを、前記音楽記憶手段に記憶された音楽ファイルの中から検索する検索手段と、
前記検索手段によって検索された音楽ファイルを、前記画像ファイルの再生中に前記音楽再生手段によって再生させる再生制御手段と、
を備えたことを特徴とする再生装置。
【請求項３】
前記検索手段は、前記画像ファイルと前記音楽ファイルとで、年代、年、月、日のうち少なくともひとつが一致するか否かを判定してファイル検索を行うことを特徴とする請求項１または２に記載の再生装置。
【請求項４】
撮影を行う撮影手段と、
撮影指示が入力される撮影指示入力手段と、
前記撮影手段によって得られた画像ファイルを記憶する画像記憶手段と、
前記画像記憶手段に記憶された画像ファイルを画像として再生する画像再生手段と、
音楽ファイルを記憶する音楽記憶手段と、
前記音楽記憶手段に記憶された音楽ファイルを音楽として再生する音楽再生手段と、
前記音楽再生手段で音楽ファイルを再生中に前記撮影指示入力手段に撮影指示が入力された場合、前記撮影手段によって得られた画像ファイルと撮影時に前記音楽再生手段で再生されている音楽ファイルとを関連付けて前記画像記憶手段に記憶させるファイル制御手段と、
前記画像再生手段によって前記画像ファイルを再生するとき、当該画像ファイルに関連付けられた前記音楽ファイルを、前記画像ファイルの再生中に前記音楽再生手段によって再生させる再生制御手段と、
を備えたことを特徴とする再生装置。
【請求項５】
撮影を行う撮影手段と、
撮影指示が入力される撮影指示入力手段と、
前記撮影手段によって得られた画像ファイルを記憶する画像記憶手段と、
前記画像記憶手段に記憶された画像ファイルを再生する画像再生手段と、
音楽ファイルを記憶する音楽記憶手段と、
前記音楽記憶手段に記憶された音楽ファイルを再生する音楽再生手段と、
前記音楽再生手段で音楽ファイルを再生中に前記撮影指示入力手段に撮影指示が入力された場合、前記撮影手段によって得られた画像ファイルと撮影時に前記音楽再生手段で再生されている音楽ファイルとを関連付けて前記画像記憶手段に記憶させるファイル制御手段と、
前記音楽再生手段によって前記音楽ファイルを再生するとき、当該音楽ファイルに関連付けられた前記画像ファイルを、前記音楽ファイルの再生中に前記画像再生手段によって再生させる再生制御手段と、
を備えたことを特徴とする再生装置。
【請求項６】
写真プリント、写真フイルム等の写真記録媒体を光学的に読み取る読取手段と、
前記読取手段によって得られた読取画像中の日時情報を認識する認識手段と、
前記読取手段によって得られた読取画像を前記画像ファイルとして前記画像記憶手段に記憶させるとともに、当該画像ファイルに前記認識手段で認識された日時情報を付加するファイル制御手段と、
を備えたことを特徴とする請求項１ないし５のいずれか１項に記載の再生装置。
【請求項７】
前記画像記憶手段に記憶されている画像ファイル内の画像中の日時情報を認識する認識手段と、
前記画像記憶手段に記憶されている画像ファイル内のヘッダに日時情報が存在するか否かを判定し、日時情報が存在しない場合には、前記認識手段によって認識された日時情報を前記画像ファイル内のヘッダに追加するファイル制御手段と、
を備えたことを特徴とする請求項１ないし５のいずれか１項に記載の再生装置。
【請求項８】
画像ファイルを画像として再生するとともに、音楽ファイルを音楽として再生する再生方法において、
音楽ファイルを再生する際に、再生される音楽ファイルから日時情報を取得し、当該日時情報に対応する日時情報が付加されている画像ファイルを、所定の記憶手段に記憶されている画像ファイルの中から検索し、検索された画像ファイルを示すリストを作成し、当該リストが示す画像ファイルを前記音楽ファイルの再生中に連続して再生することを特徴とする再生方法。
【請求項９】
画像ファイルを画像として再生するとともに、音楽ファイルを音楽として再生する再生方法において、
画像ファイルを再生する際に、再生される画像ファイルから日時情報を取得し、当該日時情報に対応する日時情報が付加されている音楽ファイルを、所定の記憶手段に記憶されている音楽ファイルの中から検索し、検索された音楽ファイルを示すリストを作成し、当該リストが示す音楽ファイルを前記画像ファイルの再生中に連続して再生することを特徴とする再生方法。
【請求項１０】
画像ファイルを画像として再生するとともに、音楽ファイルを音楽として再生する再生方法において、
音楽ファイルの再生中に所定の撮影指示入力手段に撮影指示が入力された場合、撮影によって得られた画像ファイルを、撮影時に再生されている音楽ファイルと関連付けて所定の記憶手段に記憶させ、
その後、前記画像ファイルを再生するとき、当該画像ファイルに関連付けられた前記音楽ファイルを、前記画像ファイルの再生中に再生することを特徴とする再生方法。
【請求項１１】
画像ファイルを画像として再生するとともに、音楽ファイルを音楽として再生する再生方法において、
音楽ファイルを再生中に所定の撮影指示入力手段に撮影指示が入力された場合、撮影によって得られた画像ファイルを、撮影時に再生されている音楽ファイルと関連付けて所定の記憶手段に記憶させ、
その後、前記音楽ファイルを再生するとき、当該音楽ファイルに関連付けられた前記画像ファイルを、前記音楽ファイルの再生中に再生することを特徴とする再生方法。
【請求項１２】
写真プリント、写真フイルム等の写真記録媒体を光学的に読み取り、得られた読取画像中の日時情報を認識し、前記読取画像を画像ファイルとして前記記憶手段に記憶させるとともに、当該画像ファイルに前記読取画像から取得された日時情報を付加することを特徴とする請求項８ないし１１のいずれか１項に記載の再生方法。
【請求項１３】
再生対象の画像ファイルのヘッダに日時情報が存在するか否かを判定し、日時情報が存在しない場合には、前記画像ファイル内の画像中の日時情報を認識し、当該日時情報を前記画像ファイル内のヘッダに追加することを特徴とする請求項８ないし１１のいずれか１項に記載の再生方法。
【発明の詳細な説明】
【技術分野】
【０００１】
本発明は、静止画、動画などの画像と音楽とを再生する再生装置および再生方法に関する。
【背景技術】
【０００２】
従来、音楽再生に併せて画像を表示する再生装置が知られている。
【０００３】
特許文献１には、インターネットを検索して、再生する音楽のアーティストのホームページの情報を取得して表示する構成が開示されている。
【特許文献１】特開平１１−２６００４５号公報
【発明の開示】
【発明が解決しようとする課題】
【０００４】
しかし、音楽再生に合わせて画像を表示するには、登録された画像を予め手動で分類することが必要である。適切に分類しない場合には、音楽とミスマッチな画像が再生されるという問題があった。
【０００５】
また、インターネットのホームページから情報を取得するにしても、検索するのに必要なデータファイルを作成する必要があった。
【０００６】
本発明はこのような事情に鑑みてなされたもので、予めユーザが分類操作を行わなくても、互いに適合した音楽および画像を同時に再生することができる再生装置および再生方法を提供することを目的とする。
【課題を解決するための手段】
【０００７】
前記目的を達成するために、請求項１に記載の発明は、日時情報が関連付けられた音楽ファイルを記憶する音楽記憶手段と、前記音楽記憶手段に記憶された音楽ファイルを音楽として再生する音楽再生手段と、日時情報が関連付けられた画像ファイルを記憶する画像記憶手段と、前記画像記憶手段に記憶された画像ファイルを画像として再生する画像再生手段と、前記音楽再生手段によって音楽ファイルを再生する際に、再生される音楽ファイルに関連付けられた日時情報を取得して、当該日時情報に対応する日時情報が関連付けられた画像ファイルを、前記画像記憶手段に記憶された画像ファイルの中から検索する検索手段と、前記検索手段によって検索された画像ファイルを、前記音楽ファイルの再生中に前記画像再生手段によって再生させる再生制御手段と、を備えたことを特徴とする再生装置を提供する。
【０００８】
請求項２に記載の発明は、日時情報が関連付けられた画像ファイルを記憶する画像記憶手段と、前記画像記憶手段に記憶された画像ファイルを画像として再生する画像再生手段と、日時情報が関連付けられた音楽ファイルを記憶する音楽記憶手段と、前記音楽記憶手段に記憶された音楽ファイルを音楽として再生する音楽再生手段と、前記画像再生手段よって画像ファイルを再生する際に、再生される画像ファイルに関連付けられた日時情報に対応する日時情報が関連付けられた音楽ファイルを、前記音楽記憶手段に記憶された音楽ファイルの中から検索する検索手段と、前記検索手段によって検索された音楽ファイルを、前記画像ファイルの再生中に前記音楽再生手段によって再生させる再生制御手段と、を備えたことを特徴とする再生装置を提供する。
【０００９】
なお、本発明において、「画像」は、動画および静止画のいずれであってもよい。
【００１０】
また、本発明において、「日時情報」は、年、月、日、時、分の全てを含む場合に特に限定されない。例えば、年、月、日のみからなる年月日情報であってもよいし、年、月、日、時、分だけでなく秒を含んでいてもよい。また、例えば、音楽ファイルの日時情報が年、月、日のみからなり、画像ファイルの日時情報が年、月、日、時、分の全てを含む場合であってもよい。
【００１１】
請求項３に記載の発明は、請求項１または２に記載の発明において、前記検索手段は、前記画像ファイルと前記音楽ファイルとで、年代、年、月、日のうち少なくともひとつが一致するか否かを判定してファイル検索を行うことを特徴とする再生装置を提供する。
【００１２】
請求項４に記載の発明は、撮影を行う撮影手段と、撮影指示が入力される撮影指示入力手段と、前記撮影手段によって得られた画像ファイルを記憶する画像記憶手段と、前記画像記憶手段に記憶された画像ファイルを画像として再生する画像再生手段と、音楽ファイルを記憶する音楽記憶手段と、前記音楽記憶手段に記憶された音楽ファイルを音楽として再生する音楽再生手段と、前記音楽再生手段で音楽ファイルを再生中に前記撮影指示入力手段に撮影指示が入力された場合、前記撮影手段によって得られた画像ファイルと撮影時に前記音楽再生手段で再生されている音楽ファイルとを関連付けて前記画像記憶手段に記憶させるファイル制御手段と、前記画像再生手段によって前記画像ファイルを再生するとき、当該画像ファイルに関連付けられた前記音楽ファイルを、前記画像ファイルの再生中に前記音楽再生手段によって再生させる再生制御手段と、を備えたことを特徴とする再生装置を提供する。
【００１３】
請求項５に記載の発明は、撮影を行う撮影手段と、撮影指示が入力される撮影指示入力手段と、前記撮影手段によって得られた画像ファイルを記憶する画像記憶手段と、前記画像記憶手段に記憶された画像ファイルを再生する画像再生手段と、音楽ファイルを記憶する音楽記憶手段と、前記音楽記憶手段に記憶された音楽ファイルを再生する音楽再生手段と、前記音楽再生手段で音楽ファイルを再生中に前記撮影指示入力手段に撮影指示が入力された場合、前記撮影手段によって得られた画像ファイルと撮影時に前記音楽再生手段で再生されている音楽ファイルとを関連付けて前記画像記憶手段に記憶させるファイル制御手段と、前記音楽再生手段によって前記音楽ファイルを再生するとき、当該音楽ファイルに関連付けられた前記画像ファイルを、前記音楽ファイルの再生中に前記画像再生手段によって再生させる再生制御手段と、を備えたことを特徴とする再生装置を提供する。
【００１４】
請求項６に記載の発明は、請求項１ないし５のいずれか１項に記載の発明において、写真プリント、写真フイルム等の写真記録媒体を光学的に読み取る読取手段と、前記読取手段によって得られた読取画像中の日時情報を認識する認識手段と、前記読取手段によって得られた読取画像を前記画像ファイルとして前記画像記憶手段に記憶させるとともに、当該画像ファイルに前記認識手段で認識された日時情報を付加するファイル制御手段と、を備えたことを特徴とする再生装置を提供する。
【００１５】
請求項７に記載の発明は、請求項１ないし５のいずれか１項に記載の発明において、前記画像記憶手段に記憶されている画像ファイル内の画像中の日時情報を認識する認識手段と、前記画像記憶手段に記憶されている画像ファイル内のヘッダに日時情報が存在するか否かを判定し、日時情報が存在しない場合には、前記認識手段によって認識された日時情報を前記画像ファイル内のヘッダに追加するファイル制御手段と、を備えたことを特徴とする再生装置を提供する。
【００１６】
請求項８に記載の発明は、画像ファイルを画像として再生するとともに、音楽ファイルを音楽として再生する再生方法において、音楽ファイルを再生する際に、再生される音楽ファイルから日時情報を取得し、当該日時情報に対応する日時情報が付加されている画像ファイルを、所定の記憶手段に記憶されている画像ファイルの中から検索し、検索された画像ファイルを示すリストを作成し、当該リストが示す画像ファイルを前記音楽ファイルの再生中に連続して再生することを特徴とする再生方法を提供する。
【００１７】
請求項９に記載の発明は、画像ファイルを画像として再生するとともに、音楽ファイルを音楽として再生する再生方法において、画像ファイルを再生する際に、再生される画像ファイルから日時情報を取得し、当該日時情報に対応する日時情報が付加されている音楽ファイルを、所定の記憶手段に記憶されている音楽ファイルの中から検索し、検索された音楽ファイルを示すリストを作成し、当該リストが示す音楽ファイルを前記画像ファイルの再生中に連続して再生することを特徴とする再生方法を提供する。
【００１８】
請求項１０に記載の発明は、画像ファイルを画像として再生するとともに、音楽ファイルを音楽として再生する再生方法において、音楽ファイルの再生中に所定の撮影指示入力手段に撮影指示が入力された場合、撮影によって得られた画像ファイルを、撮影時に再生されている音楽ファイルと関連付けて所定の記憶手段に記憶させ、その後、前記画像ファイルを再生するとき、当該画像ファイルに関連付けられた前記音楽ファイルを、前記画像ファイルの再生中に再生することを特徴とする再生方法を提供する。
【００１９】
請求項１１に記載の発明は、画像ファイルを画像として再生するとともに、音楽ファイルを音楽として再生する再生方法において、音楽ファイルを再生中に所定の撮影指示入力手段に撮影指示が入力された場合、撮影によって得られた画像ファイルを、撮影時に再生されている音楽ファイルと関連付けて所定の記憶手段に記憶させ、その後、前記音楽ファイルを再生するとき、当該音楽ファイルに関連付けられた前記画像ファイルを、前記音楽ファイルの再生中に再生することを特徴とする再生方法を提供する。
【００２０】
請求項１２に記載の発明は、請求項８ないし１１のいずれか１項に記載の発明において、写真プリント、写真フイルム等の写真記録媒体を光学的に読み取り、得られた読取画像中の日時情報を認識し、前記読取画像を画像ファイルとして前記記憶手段に記憶させるとともに、当該画像ファイルに前記読取画像から取得された日時情報を付加することを特徴とする再生方法を提供する。
【００２１】
請求項１３に記載の発明は、請求項８ないし１１のいずれか１項に記載の発明において、再生対象の画像ファイルのヘッダに日時情報が存在するか否かを判定し、日時情報が存在しない場合には、前記画像ファイル内の画像中の日時情報を認識し、当該日時情報を前記画像ファイル内のヘッダに追加することを特徴とする再生方法を提供する。
【発明の効果】
【００２２】
本発明によれば、予めユーザが分類操作を行わなくても、互いに適合した音楽および画像を同時に再生することができる。
【発明を実施するための最良の形態】
【００２３】
以下、添付図面に従って、本発明の実施形態について、詳細に説明する。
【００２４】
図１は、画像（「映像」ともいう）および音楽を再生する携帯型の再生装置の一例の外観を示す正面図である。
【００２５】
図１において、本例の再生装置１０には、モード切替スイッチ１１、再生ボタン１２、停止ボタン１３、ファイル選択スイッチ１４、ズームスイッチ１５、表示装置１７、スピーカ１８などが設けられている。
【００２６】
モード切替スイッチ１１は、撮影モード、音楽再生モード、画像再生モードなどのモードの選択指示が入力されるスイッチである。
【００２７】
モード切替スイッチ１１により音楽再生モードが選択された場合には、再生ボタン１２を押すごとに、音楽ファイルが音楽として再生される。スピーカ１８を通してユーザは再生される音楽を聴くことができる。停止ボタン１３を押すと、音楽の再生が停止する。ファイル選択スイッチ１４により再生する音楽ファイルの選択が行われる。
【００２８】
モード切替スイッチ１１により画像再生モードが選択された場合には、再生ボタン１２を押すことに、画像ファイルが画像として再生される。再生される画像には、静止画および動画があり、表示装置１７に表示される。ズームスイッチ１５の操作により画像の拡大表示および縮小表示が行われる。停止ボタン１３を押すと、画像の再生が停止する。ファイル選択スイッチ１４により再生する画像ファイルの選択が行われる。
【００２９】
図１の再生装置１０の上面図を図２に示す。本例の再生装置１０は、デジタルカメラ機能付きであり、図１のモード切替スイッチ１１により撮影モードが選択された場合には、シャッタボタン１６を押すと、撮影が行われる。
【００３０】
図３は、再生装置１０のハードウェア構成例を示すブロック図である。
【００３１】
図３において、ＣＰＵ（Central Processing Unit）２０は、操作部２２で入力された指示に従って、再生装置１０の各部を統括制御する。
【００３２】
操作部２２は、図１および図２に示した各種のスイッチ１１、１４、１５およびボタン１２、１３、１６などによって構成される。
【００３３】
ＣＣＤ（Charge Coupled Device）２４は、図２のシャッタボタン１６が押下されると、被写体を撮像して、静止画、動画などの画像を生成する。ＣＣＤ２４で生成された画像は、信号処理部２６で所定の信号処理が施され、画像記録再生回路２８によって記録用のフォーマットに変換された後、画像ファイルとして、メモリインタフェース３０を介してメモリ３２に書き込まれる。画像ファイルには、ＣＰＵ２０によって撮影日時を示す日時情報（例えば、年、月、日、時および分）が付加される。すなわち、利用者の撮影指示に従って所望の被写体を撮影して得られた画像は、日時情報が付加された画像ファイルとして、メモリ３２に記憶される。
【００３４】
データ入力部３４は、再生装置１０の外部から画像ファイルおよび音楽ファイルが入力されるポートである。データ入力部３４に入力された画像ファイルは、必要に応じて画像記録再生回路２８によって記録用のフォーマットに変換された後、メモリインタフェース３０を介してメモリ３２に書き込まれる。また、データ入力部３４に入力された音楽ファイルは、必要に応じて音楽記録再生回路３８によって記録用のフォーマットに変換された後、メモリインタフェース３０を介してメモリ３２に書き込まれる。
【００３５】
また、マイク３６に入力された音声は、音楽記録再生回路３８によって記録用のフォーマットに変換された後、メモリインタフェース３０を介してメモリ３２に書き込まれる。このようなマイク３６からの音声入力により生成されたファイルも、本明細書では「音楽ファイル」に含まれる。この場合、音楽ファイルには、ＣＰＵ２０によって録音日時（作成日時）を示す日時情報（例えば、年、月、日、時および分）が付加される。
【００３６】
一般に、音楽ファイルや画像ファイルには、日時情報が付加されている。音楽ファイルの日時情報としては、例えば、音楽の作成日、音楽の発売日などがある。画像ファイルの日時情報としては、撮影日時情報がある。
【００３７】
なお、「日時情報」は、年、月、日、時、分の全てを含む場合に特に限定されない。例えば、年、月、日のみからなる年月日情報であってもよいし、年、月、日、時、分だけでなく秒を含んでいてもよい。また、例えば、音楽ファイルの日時情報が年、月、日のみからなり、画像ファイルの日時情報が年、月、日、時、分の全てを含む場合であってもよい。
【００３８】
画像再生時には、メモリ３２に記憶された画像ファイルが、メモリインタフェース３０を介して読み出され、画像記録再生回路２８によって再生用のフォーマットに変換された後、表示装置インタフェース４２を介して表示装置１７に出力される。このような画像の再生を以下では「画像ファイル」の再生ということもある。
【００３９】
音楽再生時には、メモリ３２に記憶された音楽ファイルが、メモリインタフェース３０を介して読み出され、音楽記録再生回路３８によって再生用のフォーマットに変換された後、オーディオインタフェース４４を介して図１のスピーカ１８またはイヤホン１９に出力される。このような音楽の再生を以下では「音楽ファイル」の再生ということもある。
【００４０】
本実施形態のＣＰＵ２０は、画像ファイルと音楽ファイルとを関連付けるファイル制御、画像ファイルおよび音楽ファイルの検索、画像ファイルと音楽ファイルとを同時再生する再生制御などを行う。
【００４１】
ＣＰＵ２０は、ファイル選択スイッチ１４によって選択された音楽ファイルを音楽記録再生回路３８とスピーカ１８（またはイヤホン１９）によって再生する際に、再生される音楽ファイルに付加されている日時情報を取得して、当該日時情報と少なくとも一部が一致する日時情報が付加されている画像ファイルを、メモリ３２に記憶された画像ファイルの中から検索する。そして、検索された画像ファイルを示すリストを作成し、当該リストが示す画像ファイルを、音楽ファイルの再生中に、画像記録再生回路２８および表示装置１７を用いて連続して再生させる。
【００４２】
また、ＣＰＵ２０は、ファイル選択スイッチ１４によって選択された画像ファイルを画像記録再生回路２８および表示装置１７によって再生する際に、再生される画像ファイルに付加されている日時情報を取得して、当該年日時情報と少なくとも一部が一致する日時情報が付加されている音楽ファイルを、メモリ３２に記憶された音楽ファイルの中から検索する。そして、検索された音楽ファイルを示すリストを作成し、当該リストが示す音楽ファイルを、画像ファイルの再生中に、音楽記録再生回路３８およびスピーカ１８（またはイヤホン１９）によって連続して再生させる。
【００４３】
ここで、日時情報の「少なくとも一部が一致」とは、画像ファイルおよび音楽ファイルの日時情報の全てが一致（完全一致）する場合でなくても、両方の日時情報の一部が一致（部分一致）する場合であればよい。例えば、年代（例えば２０１０年代）の一致、年の一致、年月の一致、月の一致、年月日の一致、月日の一致、あるいは、季節（例えば春夏秋冬）の一致でもよい。
【００４４】
例えば、年代の一致の場合、音楽再生モードでは再生する音楽の年代に合った画像が同時に再生され、画像再生モードでは再生する画像の年代に合った音楽が再生される。
【００４５】
図１、図２、図３に示した一例の再生装置１０の構成要素と、本発明の構成要素との対応関係について簡単に説明しておく。本発明における音楽記憶手段および画像記憶手段は、主として図３のメモリ３２によって構成されている。本発明における画像再生手段は、主として図３の画像記録再生回路２８および表示装置１７によって構成されている。本発明における音楽再生手段は、主として図３の音楽記録再生回路３８、スピーカ１８およびイヤホン１９によって構成されている。本発明における検索手段、再生制御手段およびファイル制御手段は、主として図３のＣＰＵ２０によって構成されている。本発明における撮影手段は、主として図３のＣＣＤ２４、信号処理部２６および画像記録再生回路２８によって構成されている。本発明における撮影指示入力手段は、主として図２のシャッタボタン１６によって構成されている。
【００４６】
図４は、画像および音楽を同時再生中の表示画面の一例を示す。
【００４７】
図４において、画面左側には、再生中の画像と、画像が記録された日時（撮影日時である）が表示される。画面右側には、再生中の音楽の各種情報（曲名、アーティスト名、ジャンル、作成日など）が表示される。
【００４８】
図５は、音楽ファイルに付加されている付加情報の説明に用いる説明図である。図５に示す例では、ファイル名、曲名、アーティスト名、ジャンル、音楽の作成日（年、月、日）などの付加情報が、各音楽ファイルのヘッダに書き込まれている。
【００４９】
なお、音楽ファイルに音楽の作成日が付加されている場合を例に説明するが、音楽ファイルに付加される日時情報は、本発明において作成日に特に限定されず、例えば音楽の発売日（ＣＤ：Compact Diskの発売日など）や公表日でもよい。
【００５０】
図６は、画像ファイルに付加されている付加情報の説明に用いる説明図である。図６に示す例では、ファイル名、撮影日（年、月、日）、撮影時間（時、分）、シャッタ速度などの付加情報が、各画像ファイルのヘッダに書き込まれている。付加情報は、例えば、Ｅｘｉｆ（Exchangeable Image File Format）情報である。
【００５１】
なお、画像ファイルに撮影日時（画像の作成日時）が付加されている場合を例に説明するが、画像ファイルに付加される日時情報は、本発明において撮影日時に特に限定されず、例えば画像の発売日や公表日でもよい。
【００５２】
図７は、音楽再生モードでの画像再生処理の流れの一例を示すフローチャートである。この処理は、図３のＣＰＵ２０の統括制御により行われる。
【００５３】
本例では、音楽ファイルに日時情報として年月日からなる年月日情報が付加されており、画像ファイルには日時情報として年月日時分を含む撮影日時情報が付加されているものとする。
【００５４】
まず、ステップＳ１１にて、モード切替スイッチ１１により音楽再生モードが選択されているか否かを判定する。
【００５５】
音楽再生モードが選択されている場合、ステップＳ１２にて、ファイル選択ボタン１４による音楽ファイルの選択を受け付ける。例えば、表示装置１７に音楽ファイルの一覧が表示され、利用者がファイル選択ボタン１４を用いて所望の音楽ファイルを選択する操作を行う。
【００５６】
次に、ステップＳ１３にて、選択された音楽ファイルから年月日情報を取得する。例えば、図５に示したように「作成日」が音楽ファイルに付加されている場合には、その「作成日」を取得する。
【００５７】
次に、ステップＳ１４にて、音楽ファイルから取得した年月日情報に基づいて、メモリ３２に記憶された画像ファイルの中から、音楽ファイルの年月日情報と少なくとも一部が一致する撮影日時情報が付加されている画像ファイルを検索する。例えば、図６に示したように「撮影日」が画像ファイルに付加されている場合には、その「撮影日」と音楽ファイルの「作成日」とが部分的に一致する画像ファイルを検索する。
【００５８】
例えば、音楽ファイルが２００８年４月に作成されている場合、２００８年４月に撮影されてメモリ３２に記録された画像ファイルが検索される。
【００５９】
ステップＳ１５にて、検索条件に該当する画像ファイルの有無を判定し、該当する画像ファイルが有る場合には、ステップＳ１６にて該当する画像ファイルを示すリスト（再生画像リスト）を作成し、ステップＳ１７にて再生画像リストに記載された画像ファイルを表示装置１７に連続して表示（再生）する。
【００６０】
画像ファイルは、音楽ファイルの再生に合わせて再生する。ひとつの音楽ファイルの再生時間が、ひとつの画像ファイル(例えば１枚の静止画)の再生時間よりも長い場合、ひとつの音楽ファイルの再生をしている間、一定時間おきに、撮影日時順で、あるいはランダムで、画像ファイルを再生する。
【００６１】
ステップＳ１８にて再生の終了か否かを判定する。１つの音楽ファイルの再生終了で「音楽再生終了」としてもよいし、複数の音楽ファイルを連続して再生してもよい。その場合、連続音楽再生モードとして、再生音楽リストを作成し、連続して複数の音楽ファイルを再生する。
【００６２】
図８は、音楽ファイルが複数（ｍ個）選択された場合の連続音楽再生を模式的に示す。図８において、再生音楽リスト８１は、ファイル選択ボタン１４により選択された音楽ファイルのリストである。再生音楽リスト８１中のｍ個の音楽ファイルは、停止ボタン１３が押下されるまで、繰り返し、連続して再生される。各音楽ファイルの再生中には、その音楽ファイルの年月日情報により検索された画像ファイルが再生される。ひとつの音楽ファイルの再生中には、その音楽ファイルの年月日情報に合う画像ファイルが、繰り返し、連続して再生される。
【００６３】
図９は、画像再生モードでの音楽再生処理の流れの一例を示すフローチャートである。この処理は、図３のＣＰＵ２０の統括制御により行われる。
【００６４】
本例では、音楽ファイルに日時情報として年月日からなる年月日情報が付加されており、画像ファイルには日時情報として年月日時分を含む撮影日時情報が付加されているものとする。
【００６５】
まず、ステップＳ２１にて、モード切替スイッチ１１により画像再生モードが選択されているか否かを判定する。
【００６６】
画像再生モードが選択されている場合、ステップＳ２２にて、ファイル選択ボタン１４による画像ファイルの選択を受け付ける。例えば、表示装置１７に画像ファイルの一覧が表示され、利用者がファイル選択ボタン１４を用いて所望の画像ファイルを選択する操作を行う。
【００６７】
次に、ステップＳ２３にて、選択された画像ファイルから撮影日時情報を取得する。例えば、図６に示したように「撮影日」（年．月．日）および「撮影時間」（時：分）が画像ファイルに付加されている。
【００６８】
次に、ステップＳ２４にて、画像ファイルから取得した撮影日時情報に基づいて、メモリ３２に記憶された音楽ファイルの中から、画像ファイルの撮影日時情報と少なくとも一部が一致する年月日情報が付加されている音楽ファイルを検索する。例えば、図５に示したように「作成日」が音楽ファイルに付加されている場合には、その「作成日」と画像ファイルの「撮影日」とが部分的に一致する音楽ファイルを検索する。
【００６９】
例えば、画像ファイルが２００８年４月に撮影されてメモリ３２に記録されている場合、２００８年４月に作成された音楽ファイルが検索される。
【００７０】
ステップＳ２５にて、検索条件に該当する音楽ファイルの有無を判定し、該当する音楽ファイルが有る場合には、ステップＳ２６にて該当する音楽ファイルを示すリスト（再生音楽リスト）を作成し、ステップＳ２７にて再生音楽リストに記載された音楽ファイルをスピーカ１８（またはイヤホン１９）から連続して出力（再生）する。
【００７１】
音楽ファイルは、画像ファイルの再生に合わせ再生する。ひとつの画像ファイル（例えば動画ファイル）の再生時間が、ひとつの音楽ファイルの再生時間よりも長い場合、ひとつの画像ファイルの再生をしている間、一定時間おきに、作成日順で、あるいはランダムで、音楽ファイルを再生する。
【００７２】
ステップＳ２８にて再生の終了か否かを判定する。１つの画像ファイルの再生終了で「画像再生終了」としてもよいし、複数の画像ファイル（例えば静止画ファイル）を連続して再生してもよい。その場合、連続画像再生モードとして、再生画像リストを作成し、連続して複数の画像ファイルを再生する。
【００７３】
図１０は、画像ファイルが複数（ｍ個）選択された場合の連続画像再生を模式的に示す。図１０において、再生画像リスト８２は、ファイル選択ボタン１４により選択された画像ファイルのリストである。再生画像リスト８２中のｍ個の画像ファイルは、停止ボタン１３が押下されるまで、繰り返し、連続して再生される。各画像ファイルの再生中には、その画像ファイルの撮影日時情報（本例では「撮影日」）により検索された音楽ファイルが再生される。ひとつの画像ファイルの再生中には、その画像ファイルの撮影日時情報に合う音楽ファイルが、繰り返し、連続して再生される。
【００７４】
以上は、メモリ３２に記憶されている画像ファイルおよび音楽ファイルの両方に日時情報が既に付加されている場合について説明したが、本発明は、このような場合に特に限定されない。
【００７５】
次に、ＣＰＵ２０が、画像ファイルと音楽ファイルとの関連付けを撮影時に行う場合を例について説明する。この例において、図３のＣＰＵ２０は、音楽記録再生回路３８とスピーカ１８（またはイヤホン１９）によって音楽ファイルを再生中に、シャッタボタン１６の押下により撮影指示が入力された場合、撮影によって得られた画像ファイルを、撮影時に再生されている音楽ファイル（実際にはメモリ３２に記憶されている音楽ファイルである）と関連付けて、メモリ３２に記憶させる。
【００７６】
図１１は、撮影時の画像ファイルと音楽ファイルとの関連付け処理の流れの一例を示すフローチャートである。この処理は、図３のＣＰＵ２０の統括制御により行われる。
【００７７】
ステップＳ３１にて、モード切替スイッチ１１によって撮影モードが選択されているか否かを判定する。
【００７８】
撮影モードが選択されている場合、ステップＳ３２にて、ファイル選択ボタン１４による音楽ファイルの選択を受け付け、ステップＳ３３にて、音楽再生を行う。
【００７９】
ステップＳ３４にて、音楽再生中にシャッタボタン１６が押下されたか否かを判定する。
【００８０】
シャッタボタン１６が押されるまで、音楽再生を継続する。このように本例では、撮影モードにおいて、利用者がファイル選択ボタン１４を用いて所望の音楽ファイルを指示し、音楽再生を楽しみながら、シャッターチャンスを待つことができる。
【００８１】
音楽再生中にシャッタボタン１６が押下されたとき、ステップＳ３５にて、再生中の音楽ファイル（実際にはメモリ３２に記憶されている音楽ファイルである）に、撮影によって得られた画像ファイルのリンク情報を付加する一方で、ステップＳ３６にて、再生中の音楽ファイルのリンク情報を、撮影によって得られた画像ファイルに付加して、その画像ファイルをメモリ３２に保存する。
【００８２】
図１２は、画像ファイルが関連付けられた音楽ファイルのヘッダの一例を一覧にして示す。図１２において、各音楽ファイル（ファイル名：AFN1、AFN2、AFN3、・・・）のヘッダには、リンクされた画像ファイルのファイル名（PFN1、PFN2、PFN3、・・・）が追加されている。すなわち、各音楽ファイルには、画像ファイルのリンク情報としてのファイル名が付加されている。
【００８３】
図１３は、音楽ファイルが関連付けられた画像ファイルのヘッダの一例を一覧にして示す。図１３において、各画像ファイル（ファイル名：PFN1、PFN2、PFN3、・・・）のヘッダには、リンクされた音楽ファイルのファイル名（AFN1、AFN2、AFN3、・・・）が追加されている。すなわち、各画像ファイルには、音楽ファイルのリンク情報としてのファイル名が付加されている。
【００８４】
以上のように本例では、音楽ファイルを再生中にシャッタボタン１６により撮影指示が入力された場合、ＣＰＵ２０は、撮影によって得られた画像ファイルを、撮影時に再生されている音楽ファイルと関連付けて、メモリ３２に保存する。
【００８５】
その後、音楽再生を行うときには、図７を用いて説明した場合と同様に、音楽ファイルに関連付けられている画像ファイルをメモリ３２から取得して、音楽再生と同時に画像再生を行う。本例では、ＣＰＵ２０が音楽ファイルのヘッダから画像ファイルのリンク情報としての画像ファイル名を取得し、そのリンク情報に基づいてメモリ３２から音楽ファイルを読み出して再生する制御を行う。
【００８６】
また、画像再生を行うときには、図９を用いて説明した場合と同様に、画像ファイルに関連付けられている音楽ファイルをメモリ３２から取得して、画像再生と同時に音楽再生を行う。本例では、ＣＰＵ２０が画像ファイルのヘッダから音楽ファイルのリンク情報としての画像ファイル名を取得し、そのリンク情報に基づいてメモリ３２から画像ファイルを読み出して再生する制御を行う。
【００８７】
なお、図１２および図１３では、リンク情報としてファイル名を用いたが、このような場合に特に限定されない。リンク情報は、ファイルの格納場所または取得方法を含んでいてもよい。例えば、メモリ３２に複数のディレクトリが作成され、ファイルが異なるディレクトリに分散されて格納されている場合には、リンク情報にはディレクトリ情報が含まれる。また、ファイルが再生装置１０の外部に保存されている場合には、その外部からの取得方法を含む。
【００８８】
図１４は、他の例の再生装置１００のハードウェア構成を示すブロック図である。図１４において、図３に示した再生装置１０の構成要素と同じ構成要素には同じ符号を付してあり、既に説明した内容については、ここではその説明を省略する。
【００８９】
本例の再生装置１００は、図１５に示すように写真記録媒体５０を光学的に読み取る読取部４６を備えている。
【００９０】
図１５では、写真記録媒体（写真が可視状態で記録されている媒体である）として、用紙などに画像がプリントされた写真プリントを例に示しているが、このような場合に写真記録媒体は特に限定されず、例えば、樹脂材料などからなるフイルムに画像が形成された写真フイルムであってもよい。
【００９１】
読取部４６によって写真記録媒体５０が光学的に読み取られると、ＣＰＵ２０は、読取部４６によって得られた読取画像中の撮影日時情報、すなわち「年．月．日」（撮影日）および「時：分」（撮影時間）を認識する。そして、ＣＰＵ２０は、読取画像を画像ファイルとしてメモリ３２に記憶させる際に、その画像ファイルに撮影日時情報を付加する。
【００９２】
図１６は、写真記録媒体５０に埋め込まれている撮影日時情報を認識して画像ファイルに付加する処理の流れの一例を示すフローチャートである。
【００９３】
まず、ステップＳ４１にて、読取部４６で写真記録媒体５０を光学的に読み取って、読取部４６から出力される読取画像を画像ファイルとしてメモリ３２に記憶させる。
【００９４】
次に、ステップＳ４２にて、読取画像中の撮影日時情報を認識する。詳細には、読取画像から数字画像の部分を抽出し、その数字画像に基づいて文字認識により撮影日時情報を取得する。言い換えると、図１５に示すように写真記録媒体５０に埋め込まれている撮影日時をスキャニングする。
【００９５】
ステップＳ４３にて、撮影日時情報を認識できたか否かを判定し、撮影日時情報が認識できた場合には、ステップＳ４４にて、撮影日時情報を画像ファイルのヘッダに追加する。
【００９６】
また、本例のＣＰＵ２０は、メモリ３２に記憶されている画像ファイル内のヘッダに撮影日時情報が存在するか否かを判定し、撮影日時情報が存在しない場合には、画像ファイル内の画像中の撮影日時情報、すなわち「年．月．日」（撮影日）および「時：分」（撮影時間）を認識する。そして、ＣＰＵ２０は、認識された撮影日時情報を画像ファイル内のヘッダに追加する。
【００９７】
図１７は、画像ファイルの画像中に埋め込まれている撮影日時情報を認識して画像ファイルに付加する処理の流れの一例を示すフローチャートである。
【００９８】
本例において、画像ファイルは、Ｅｘｉｆ（Exchangeable Image File Format）形式である。
【００９９】
まず、ステップＳ５１にて、メモリ３２に記憶されている画像ファイルのヘッダ（Ｅｘｉｆヘッダ）に付加情報（Ｅｘｉｆ情報）としてテキスト形式の撮影日時情報が存在するか否かを判定する。
【０１００】
画像ファイルのヘッダに撮影日時情報が存在しない場合には、ステップＳ５２にて、画像ファイルの画像中の撮影日時情報を認識する。詳細には、画像ファイルの画像から数字画像の部分を抽出し、その数字画像に基づいて文字認識により撮影日時情報を取得する。
【０１０１】
ステップＳ５３にて、撮影日時情報が認識できたか否かを判定し、撮影日時情報が認識できた場合には、ステップＳ５４にて、撮影日時情報を画像ファイルのヘッダに追加する。
【０１０２】
その後、音楽再生を行うときには、図７を用いて説明したように、音楽ファイルに付加されている年月日情報と画像ファイルに付加されている撮影日時情報とに基づいて、再生中の音楽ファイルに対応する画像ファイルを検索して再生する。
【０１０３】
また、画像再生を行うときには、図９を用いて説明したように、音楽ファイルに付加されている年月日情報と画像ファイルに付加されている撮影日時情報とに基づいて、再生中の画像ファイルに対応する音楽ファイルを検索して再生する。
【０１０４】
以上、図１〜図１７を用いて説明した実施例において、同時に再生する画像ファイルと音楽ファイルとの対応条件には、例えば、年代の一致、年の一致、月の一致、年月の一致、年月日の一致、月日の一致、季節の一致など、各種ある。これらの対応条件をユーザは操作部２２を用いて設定操作することができる。具体的には、ＣＰＵ２０の制御により、表示装置１７に対応条件の一覧を表示し、ユーザは操作部２２のボタンを用いて対応条件を指示入力する。指示入力された対応条件は、ＣＰＵ２０の制御により、メモリ３２に記憶され、音声ファイルを再生する際、および、画像ファイルを再生する際にメモリ３２から読み出されて、読み出された対応条件に従って、画像ファイルまたは音楽ファイルが検索される。
【０１０５】
例えば、ユーザが対応条件として「年代の一致」を指示入力した場合には、音楽ファイルの再生中、その音楽ファイルに付加されている日時情報（例えば発売日）と年代において一致する日時情報（例えば撮影日）が付加されている画像ファイルが検索され、再生される。また、画像ファイルの再生中、その画像ファイルに付加されている日時情報（例えば撮影日）と年代において一致する日時情報（例えば発売日）が付加されている音楽ファイルが検索され、再生される。
【０１０６】
また、例えば、ユーザが対応条件として「年月日の一致」を指示入力した場合には、互いに年月日が一致する画像ファイルおよび音楽ファイルが同時に再生される。もちろん、ユーザは、他の対応条件（例えば季節の一致）を指示入力することができる。また、ＣＰＵ２０に対応条件の選択をおまかせする指示入力も可能である。
【０１０７】
なお、本発明は、本明細書において説明した例や図面に図示された例には限定されず、本発明の要旨を逸脱しない範囲において、各種の設計変更や改良を行ってよいのはもちろんである。
【図面の簡単な説明】
【０１０８】
【図１】再生装置の一例の外観を示す正面図
【図２】図１の上面図
【図３】再生装置のハードウェア構成例を示すブロック図
【図４】画像および音楽を同時再生中の表示画面の一例を示す説明図
【図５】音楽ファイルに付加されている付加情報の一例を示す説明図
【図６】画像ファイルに付加されている付加情報の一例を示す説明図
【図７】音楽再生モードでの画像再生処理の流れの一例を示すフローチャート
【図８】連続音楽再生の説明図
【図９】画像再生モードでの音楽再生処理の流れの一例を示すフローチャート
【図１０】連続画像再生の説明図
【図１１】撮影時の画像ファイルと音楽ファイルとの関連付け処理の流れの一例を示すフローチャート
【図１２】画像ファイルが関連付けられた音楽ファイルのヘッダの一例の一部を示す説明図
【図１３】音楽ファイルが関連付けられた画像ファイルのヘッダの一例の一部を示す説明図
【図１４】他の例の再生装置のハードウェア構成を示すブロック図
【図１５】写真記録媒体の読み取りの説明に用いる説明図
【図１６】写真記録媒体に埋め込まれている撮影日情報を認識して画像ファイルに付加する処理の流れの一例を示すフローチャート
【図１７】画像ファイルの画像中に埋め込まれている撮影日情報を認識して画像ファイルに付加する処理の流れの一例を示すフローチャート
【符号の説明】
【０１０９】
１０…再生装置、１１…モード切替スイッチ、１２…再生ボタン、１３…停止ボタン、１４…ファイル選択スイッチ、１６…シャッタボタン、１７…表示装置、１８…スピーカ、１９…イヤホン、２０…ＣＰＵ、２２…操作部、２４…ＣＣＤ、２６…信号処理部、２８…画像記録再生回路、３２…メモリ、３４…データ入力部、３８…音楽記録再生回路、４６…読取部
【図１】
2009117973.tif 000003
【図２】
2009117973.tif 000004
【図３】
2009117973.tif 000005
【図４】
2009117973.tif 000006
【図５】
2009117973.tif 000007
【図６】
2009117973.tif 000008
【図７】
2009117973.tif 000009
【図８】
2009117973.tif 000010
【図９】
2009117973.tif 000011
【図１０】
2009117973.tif 000012
【図１１】
2009117973.tif 000013
【図１２】
2009117973.tif 000014
【図１３】
2009117973.tif 000015
【図１４】
2009117973.tif 000016
【図１５】
2009117973.tif 000017
【図１６】
2009117973.tif 000018
【図１７】
2009117973.tif 000019